(57)【要約】【課題】１枚のシート状基材で構成されるとともに、接着や貼着作業を不要として容易に組み立てることができる、輸送や保管用に嵩張ることのない商品陳列装置を提供する。【解決手段】商品陳列装置１は、平板状の基材部１０と、商品保持部２０と、補強板部３０とを備え、基材部１０、商品保持部２０、及び補強板部３０は、１枚のシート状基材により構成されている。商品保持部２０は、基材部１０から折り曲げられた第１保持部２１と、第１保持部２１から折り曲げられて第１保持部２１と山形形状をなす第２保持部２２と、第２保持部２２から切り下げられた固定片２３とを備える。第１保持部２１には第１保持孔２１ｂが形成されるとともに、第２保持部２２には固定片２３を切り下げることによって第２保持孔２２ａが形成される。補強板部３０は、基材部１０の裏面１０ｂ側に固定片２３により固定されて第１保持部２１及び第２保持部２２の折り曲げ状態を維持する。【選択図】図２
0003219731.tif 000002
【実用新案登録請求の範囲】
【請求項１】
上下方向及び左右方向に延びる平板状の基材部と、
該基材部に設けられた、商品を保持する商品保持部と、
前記基材部に設けられた補強板部とを備え、
前記商品保持部は、前記基材部の上下方向の所定位置を基端として前記基材部の表面から立ち上がるように折り曲げられた第１保持部と、該第１保持部の先端を基端として前記第１保持部の表面から立ち下がるように折り曲げられて前記第１保持部と山形形状をなし、先端で前記基材部が下方に折り曲げられる第２保持部と、該第２保持部の先端を基端として前記第２保持部の表面から立ち下がるように切り下げられた固定片とを備え、前記第１保持部には第１保持孔が形成されるとともに、前記第２保持部には前記固定片を切り下げることによって第２保持孔が形成され、
前記補強板部は、前記基材部の左側縁及び右側縁の少なくとも一方から前記基材部の裏面側に折り曲げられて前記基材部の裏面側に前記固定片により固定されて前記第１保持部平面部及び第２保持部の折り曲げ状態を維持し、
前記基材部、前記商品保持部、及び前記補強板部は、１枚のシート状基材により構成されていることを特徴とする商品陳列装置。
【請求項２】
前記基材部及び前記補強板部に、吊り下げ孔が形成されていることを特徴とする請求項１に記載の商品陳列装置。
【請求項３】
前記シート状基材は、紙製であることを特徴とする請求項１又は２に記載の商品陳列装置。
【請求項４】
前記商品は、円錐状に形成されていることを特徴とする請求項１乃至３のうちいずれか一項に記載の商品陳列装置。
【考案の詳細な説明】
【技術分野】
【０００１】
本考案は、商品陳列装置に関する。
【背景技術】
【０００２】
従来から、店頭に設置して商品を展示したり販売するための商品陳列台として、さまざまな材質、板状の製品が提案され、使用されている。これらの中で、紙製の商品陳列台は、比較的安価に製造できると共に簡単に廃棄できるため、恒久的に使用しない用途、例えば、特定期間しか使用しないキャンペーン用の陳列台などとしてしばしば用いられている。
長期間使用する陳列台であれば、多少嵩張って輸送効率が悪かったり、組立てに多少手間がかかっても、あまり大きな問題とはならないが、恒久的に使用せず、使用期間が短い用途の場合には、コストの面からも、輸送用に嵩張らず、かつ組立てが容易にできることが求められている。
【０００３】
従来、輸送用に嵩張らず、かつ組立てが容易にできる商品陳列台として、例えば、特許文献１に示すものが知られている。
特許文献１に示す商品陳列台は、正面板と左側面板と右側面板と背面板とが角筒状に構成され、正面板の上方に設けられた床面板が角筒状の内方に折り込まれ、床面板を下から支える並列した複数の支持板が、左側面板と右側面板の間に、正面板と平行に設けられている。
この特許文献１に示す商品陳列台によれば、正面板と左側面板の間に床面板を下から支える並列した複数の支持板が正面板と平行に設けられているので、角筒状の正面板と左側面板と右側面板と背面板とを、平坦に折り畳むことができ、嵩張らず、輸送や保管ができる。
【０００４】
また、この特許文献１に示す商品陳列台によれば、正面板の上方に床面板が設けられているので、正面板と左側面板と右側面板と背面板とで角筒状に組み立てた後、床面板を角筒状の内方に折込み、複数の支持板の上に床面板を載せるだけで、簡単に商品陳列台を組み立てることができる。
【先行技術文献】
【特許文献】
【０００５】
【特許文献１】特開２０１３−１３５９３号公報
【考案の概要】
【考案が解決しようとする課題】
【０００６】
しかしながら、この従来の特許文献１に示す商品陳列台にあっては、以下の問題点があった。
即ち、特許文献１に示す商品陳列台の場合、正面板、左側面板、右側面板、背面板、及び床面板は一体に形成されているが、床面板を支持する支持板はそれら一体に形成された部材と別部材に形成されている。このため、商品陳列台を構成する部材が２部材であり、製造コストが高価になってしまう。
また、支持板を左側面板及び右側面板に接着する作業が必要になるとともに、正面板と左側面板と右側面板と背面板とを角筒状に構成する際に、左側面板に設けられた貼着板を背面板に貼着する作業も必要になり、組立作業性が悪い。
【０００７】
従って、本考案は、この問題点を解決するためになされたものであり、その目的は、１枚のシート状基材で構成されるとともに、接着や貼着作業を不要として容易に組み立てることができる、輸送や保管用に嵩張ることのない商品陳列装置を提供することにある。
【課題を解決するための手段】
【０００８】
上記目的を達成するために、本考案の一態様に係る商品陳列装置は、上下方向及び左右方向に延びる平板状の基材部と、該基材部に設けられた、商品を保持する商品保持部と、前記基材部に設けられた補強板部とを備え、前記商品保持部は、前記基材部の上下方向の所定位置を基端として前記基材部の表面から立ち上がるように折り曲げられた第１保持部と、該第１保持部の先端を基端として前記第１保持部の表面から立ち下がるように折り曲げられて前記第１保持部と山形形状をなし、先端で前記基材部が下方に折り曲げられる第２保持部と、該第２保持部の先端を基端として前記第２保持部の表面から立ち下がるように切り下げられた固定片とを備え、前記第１保持部には第１保持孔が形成されるとともに、前記第２保持部には前記固定片を切り下げることによって第２保持孔が形成され、前記補強板部は、前記基材部の左側縁及び右側縁の少なくとも一方から前記基材部の裏面側に折り曲げられて前記基材部の裏面側に前記固定片により固定されて前記第１保持部及び第２保持部の折り曲げ状態を維持し、前記基材部、前記商品保持部、及び前記補強板部は、１枚のシート状基材により構成されていることを要旨とする。
【考案の効果】
【０００９】
本考案に係る商品陳列装置によれば、１枚のシート状基材で構成されるとともに、接着や貼着作業を不要として容易に組み立てることができる、輸送や保管用に嵩張ることのない商品陳列装置を提供できる。
【図面の簡単な説明】
【００１０】
【図１】本考案の一実施形態に係る商品陳列装置の展開図である。
【図２】図１に示された商品陳列装置を組み立てた状態を示し、（ａ）は正面図、（ｂ）は右側面図、（ｃ）は底面図である。
【図３】商品陳列装置の一部の商品支持部に商品が支持された状態を示し、（ａ）は正面図、（ｂ）は（ａ）における３ｂ−３ｂ線に沿う断面図である。
【考案を実施するための形態】
【００１１】
以下、本考案の実施の形態を図面を参照して説明する。以下に示す実施形態は、本考案の技術的思想を具体化するための装置を例示するものであって、本考案の技術的思想は、構成部品の材質、形状、構造、配置等を下記の実施形態に特定するものではない。また、図面は模式的なものである。そのため、厚みと平面寸法との関係、比率等は現実のものとは異なることに留意すべきであり、図面相互間においても互いの寸法の関係や比率が異なる部分が含まれている。
【００１２】
図１は、本考案の一実施形態に係る商品陳列装置の展開図である。図１において、商品陳列装置１は、基材部１０と、基材部１０に設けられた複数（本実施形態にあっては２列３行の６個）の商品保持部２０と、一対の補強板部３０とを備えている。基材部１０、商品保持部２０、及び一対の補強板部３０は、１枚のシート状基材で構成される。シート状基材として、紙製のシート状基材が用いられる。使用する紙としては、バージン紙、カード紙、カップ原紙、コートボール紙などの板紙が使用できる。また、シート状基材として、プラスチック製であってもよい。
【００１３】
基材部１０は、上下方向及び左右方向に延びる長方形平板状に形成されている。
また、各商品保持部２０は、組み立てられた後に図３に示すように商品５０を保持するものであり、第１保持部２１と、第２保持部２２と、固定片２３とを備えている。各行の２つの商品保持部２０における第１保持部２１は、共用されて１つで構成され、共用された第１保持部２１に一方の商品保持部２０に対応する後述の１つの第１保持孔２１ｂと、他方の商品保持部２０に対応する１つの第１保持孔２１ｂが形成される。また、各行の２つの商品保持部２０における第２保持部２２も、共用されて１つで構成され、共用された第２保持部２２に一方の商品保持部２０に対応する後述の１つの第２保持孔２２ａと、他方の商品保持部２０に対応する１つの第２保持孔２２ａが形成される。商品５０は、本実施形態にあっては、円錐状に形成された菓子を対象としている。
【００１４】
ここで、第１保持部２１は、基材部１０の上下方向の所定位置（第１折り曲げ線Ｌ１の位置）を基端として基材部１０の表面１０ａから斜めに立ち上がるように折り曲げられるものである。商品陳列装置１の展開状態では、図１に示すように、基材部１０には、第１保持部２１の基端をなす第１折り曲げ線Ｌ１が基材部１０の幅全体を横断するように左右方向に延びている。また、基材部１０の第１折り曲げ線Ｌ１よりも第１保持部２１の上下方向幅分だけ下方の位置には、第１保持部２１の先端をなす第２折り曲げ線Ｌ２が基材部１０の幅全体を横断するように左右方向に延びている。そして、第１保持部２１には、舌片２１ａの外形をなす両上端が第１折り曲げ線Ｌ１に繋がる楕円形の第１切込みＣ１が形成されている。舌片２１ａを第１切込みＣ１に沿って第１保持部２１の表面から立ち下がるように第１折り曲げ線Ｌ１で折り曲げることにより、図２（ａ），（ｂ）に示すように、第１保持孔２１ｂが形成される。
【００１５】
そして、第１保持部２１は、図２（ａ），（ｂ）に示すように、第１折り曲げ線Ｌ１で基材部１０の表面１０ａから斜め上方に立ち上がるように折り曲げられる。
また、第２保持部２２は、第１保持部２１の先端（第２折り曲げ線Ｌ２）を基端として第１保持部２１の表面から立ち下がり基材部１０の表面１０に対して垂直になるように折り曲げられて第１保持部２１と山形形状をなし（図２（ｂ）参照）、先端（第３折り曲げ線Ｌ３）で基材部１０が下方かつ第２保持部２２に対して垂直に折り曲げられるものである。商品陳列装置１の展開状態では、図１に示すように、基材部１０の第２折り曲げ線Ｌ２よりも第２保持部２２の上下方向幅分だけ下方の位置には、第２保持部２２の先端をなす第３折り曲げ線Ｌ３が基材部１０の幅全体を横断するように左右方向に延びている。
【００１６】
そして、第２保持部２２は、図２（ａ），（ｂ）に示すように、第２折り曲げ線Ｌ２で第１保持部２１の表面から立ち下がり基材部１０の表面１０ａに対して垂直となるように折り曲げられる。また、第２折り曲げ線Ｌ２で基材部１０が第２保持部２２と直角かつ下方に折り曲げられる。
また、固定片２３は、第２保持部２２の先端（第２折り曲げ線Ｌ２の位置）を基端として第２保持部２２の表面から立ち下がるように切り下げられるものである。商品陳列装置１の展開状態では、図１に示すように、第２保持部２２には、互いに平行に延びる二辺の端部を半円とした形状の固定片２３の外形をなす両下端が第２折り曲げ線Ｌ２に繋がる第２切込みＣ２が形成されている。固定片２３を第２切込みＣ２に沿って第２保持部２２の表面から立ち下がるように第２折り曲げ線Ｌ２で折り曲げることにより、図２（ｂ）、（ｃ）に示すように、第２保持孔２２ａが形成される。固定片２３は、後述するように、２列の商品保持部２０のうち右列の商品保持部２０では、基材部１０の右側縁から基材部１０の裏面１０ｂ側に折り曲げられた補強板部３０を基材部１０に固定するものである。
【００１７】
また、図１に示すように、一対の補強板部３０のうち一方の補強板部３０は、基材部１０の左側縁の最上行の商品保持部２０よりも上側の位置に第４折り曲げ線Ｌ４を介して連結され、一対の補強板部３０のうち他方の補強板部３０は、基材部１０の右側縁の最上行の商品保持部２０よりも上側の位置に第４折り曲げ線Ｌ４を介して連結されている。各補強板部３０と基材部１０との間の第４折り曲げ線Ｌ４よりも下側の位置には、第３切込みＣ３が形成されている。各補強板部３０は、上下方向及び左右方向に延びる長方形状に形成されている。
【００１８】
各補強板部３０は、図２（ｂ），（ｃ）に示すように、基材部１０の左側縁あるいは右側縁から基材部１０の裏面１０ｂ側に折り曲げられて基材部１０の裏面１０ｂ側に各固定片２３により固定される。各商品保持部２０における第１保持部２１及び第２保持部２２の折り曲げ状態は、何もしないと、折り曲げの反力で基材部１０の上下方向に延びてしまい、その折り曲げ状態を維持できない。これに対して、各補強板部３０を基材部１０の裏面１０ｂ側に固定すると、第１保持部２１及び第２保持部２２の折り曲げ状態の上下方向の伸びが補強板部３０によって規制される。従って、各補強板部３０を基材部１０の裏面１０ｂ側に固定することにより、第１保持部２１及び第２保持部２２の折り曲げ状態を維持することができる。
【００１９】
なお、各補強板部３０には、図１及び図２（ｂ）に示すように、各固定片３１が入り込んで係止される複数の係止用開口３１が形成されている。各係止用スリット３１は、図２（ｂ）に示すように、補強板部３０の表面から裏面にかけて貫通している。
また、基材部１０の左右上端角部の２箇所には吊り下げ孔１１ａが形成されるとともに、各補強板部３０における、各補強板部３０を折り曲げた際の各吊り下げ孔１１ａに対応する位置にも、吊り下げ孔１１ｂが形成されている。
図１に示す展開状態の商品陳列装置１を作成するには、紙製のシート状基材に、基材部１０の外形に沿う切込み、各補強板部３０の外形に沿う切込み、第１切込みＣ１〜第３切込みＣ３、第１折り曲げ線Ｌ１〜第４折り曲げ線Ｌ４、吊り下げ孔１１ａ，１１ｂ及び係止用開口３１を同時に形成する加工を行うことにより、作成される。
【００２０】
このように構成される商品陳列装置１を組み立て、その後、商品５０（図３参照）を支持する方法について説明する。
先ず、商品陳列装置１は、図１に示す展開状態、各補強板部３０を基材部１０の裏面１０ｂ側に折り曲げた状態などの状態で例えば袋等に収納されて商品を陳列する店に輸送される。
ここで、商品陳列装置１は、１枚のシート状基材で構成されているため、輸送や店での保管に際し嵩張ることはない。
【００２１】
次いで、店頭において、商品陳列装置１を組み立てる。この際に、先ず、商品陳列装置１を袋等から取り出し、図１に示す展開状態とする。
次いで、最上行から最下行の商品保持部２０の順に、図２（ａ），（ｂ），（ｃ）に示すように、第１保持部２１を第１折り曲げ線Ｌ１で基材部１０の表面１０ａから斜め上方に立ち上がるように折り曲げ、第２保持部２２を第２折り曲げ線Ｌ２で第１保持部２１の表面から立ち下がり基材部１０の表面１０ａに対して垂直となるように折り曲げる。また、第３折り曲げ線Ｌ３で基材部１０を第２保持部２２と直角かつ下方に折り曲げる。
【００２２】
次いで、最上行から最下行の商品保持部２０の順に、図２（ａ），（ｂ），（ｃ）に示すように、舌片２１ａを第１切込みＣ１に沿って第１平面部２１の表面から立ち下がるように第１折り曲げ線Ｌ１で折り曲げることにより、第１保持孔２１ｂを形成する。
その後、右側の補強板部３０を、図２（ａ），（ｂ），（ｃ）に示すように、第４折り曲げ線Ｌ４に沿って基材部１０の右側縁から基材部１０の裏面１０ｂ側に折り曲げる。また、同様に、左側の補強板部３０を、第４折り曲げ線Ｌ４に沿って基材部１０の左側縁から基材部１０の裏面１０ｂ側に折り曲げる。
【００２３】
そして、最上行から最下行の商品保持部２０の順に、図２（ａ），（ｂ），（ｃ）に示すように、固定片２３を第２切込みＣ２に沿って第２保持部２２の表面から立ち下がるように第２折り曲げ線Ｌ２で折り曲げ、更に、固定片２３を各補強板部３０に形成された係止用開口３１に入れ込んで係止する。この際に、固定片２３が係止用開口３１に適切に係止されるように、固定片２３を各補強板部３０の裏面に沿うように適宜折り曲げるのがよい。これにより、各補強板部３０が基材部１０の裏面１０ｂ側に固定され、各商品保持部２０における第１保持部２１及び第２保持部２２の折り曲げ状態が維持される。
以上の作業により、商品陳列装置１の組立てが完了する。この際に、接着や貼着作業は必要ない。
【００２４】
そして、基材部１０に形成された吊り下げ孔１１ａ及び各補強板部３０に形成された吊り下げ孔１１ｂに、図２（ａ），（ｂ）に示すように、吊り下げ紐４０を通して図示しない店内にある壁等に設けられたフック部に吊り下げ紐４０を引掛けて商品陳列装置１を吊り下げる。
その後、図３（ａ），（ｂ）に示すように、各商品保持部２０に円錐状に形成された各商品５０を保持する。この際に、円錐状に形成された商品５０の頂点側を下にして第１保持部２１に形成された第１保持孔２１ｂ、第２保持部２２に形成された第２保持孔２２ａの順に上側から挿通する。これにより、商品５０は、第２保持孔２２ａに挿通された状態で第１保持孔２１ｂに保持される。
【００２５】
第１保持孔２１ｂの形状及び大きさは、商品５０の周囲を締め付ける形状及び大きさに形成され、商品５０を第１保持孔２１ｂによって締め付けることにより保持する。第２保持孔２２ａの形状及び大きさは、挿通される商品５０を挿通可能な形状及び大きさに設定される。商品５０の基材部１０側の部分は、図３（ｂ）に示すように、基材部１０の表面１０ａに当接して商品５０の倒れ込みが阻止される。これにより、複数（本実施形態にあっては３行２列の６個）の商品５０が商品陳列装置１によって保持されて陳列される。
【００２６】
このように、本実施形態に係る商品陳列装置１によれば、平板状の基材部１０と、基材部１０に設けられた、商品５０を保持する商品保持部２０と、基材部１０に設けられた一対の補強板部３０とを備えている。そして、基材部１０、商品保持部２０、及び一対補強板部３０は、１枚のシート状基材により構成されている。また、商品保持部２０は、基材部１０の上下方向の所定位置（第１折り曲げ線Ｌ１）を基端として基材部１０の表面１０ａから立ち上がるように折り曲げられた第１保持部２１と、第１保持部２１の先端を基端として第１保持部２１の表面から立ち下がるように折り曲げられて第１保持部２１と山形形状をなし、先端で基材部１０が下方に折り曲げられる第２保持部２２とを備えている。また、商品保持部２０は、第２保持部２１の先端（第２折り曲げ線Ｌ２）を基端として第２保持部２２の表面から立ち下がるように切り下げられた固定片２３を備え、第１保持部２１には第１保持孔２１ｂが形成されるとともに、第２保持部２２には固定片２３を切り下げることによって第２保持孔２２ａが形成されている。そして、一対の補強板部３０は、基材部１０の左側縁及び右側縁から基材部１０の裏面１０ｂ側に折り曲げられて基材部の裏面１０ｂ側に固定片２３により固定されて第１保持部２１及び第２保持部２２の折り曲げ状態を維持する。
【００２７】
これにより、１枚のシート状基材で構成されるとともに、接着や貼着作業を不要として容易に組み立てることができる、輸送や保管用に嵩張ることのない商品陳列装置１を提供できる。商品陳列装置１は、１枚のシート状基材で構成されるから、製造コストは非常に安価である。
また、商品５０は、第１保持部２１及び第２保持部２２の２つの保持部によって商品保持部２０に確実に保持される。
更に、第１保持部２１及び第２保持部２２は、第１保持部２１の基端側が基材部１０から折り曲げられ、第２保持部２２の先端側は基材部１０が折り曲げられ、両端支持構造となっている。このため、第１保持部２１及び第２保持部２２の変形は最小限に抑えることができ、商品５０を商品保持部２０で確実に保持することができる。
【００２８】
また、補強板部３０が基材部１０の裏面１０ｂ側に固定されているから、基材部１０の強度が補強板部３０によって補強され、強度の高い商品陳列装置１とすることができる。
また、本実施形態に係る商品陳列装置１によれば、基材部１０及び各補強板部３０に、吊り下げ孔１１ａ，１１ｂが形成されているので、吊り下げ孔１１ａ，１１ｂに、吊り下げ紐４０を通して図示しない店内にある壁等に設けられたフック部に吊り下げ紐４０を引掛けて商品陳列装置１を吊り下げることができる。
また、基材部を構成するシート状基材は、紙製であるので、組み立てが容易であるとともに、商品陳列装置１の使用後に容易に廃棄することができる。
【００２９】
以上、本考案の実施形態について説明してきたが、本考案はこれに限定されずに種々の変更、改良を行うことができる。
例えば、第１保持孔２１ｂは商品５０を保持し、第２保持孔２２ａが商品５０を挿通するようにしてあるが、第１保持孔２１ｂで商品５０を挿通し、第２保持孔２２ａで商品５０を保持するようにしてもよいし、第１保持孔２１ｂ及び第２保持孔２２ａの双方で商品５０を保持するようにしてもよい。
また、商品５０は、円錐状に形成された菓子を対象としているが、これに限らず、円筒状、角筒状、円柱状、角柱状、その他の形状であってもよい。第１保持孔２１ｂ及び第２保持孔２２ａの形状及び大きさは、保持する商品の形状及び大きさに応じて適宜決定すればよい。
【００３０】
また、商品保持部２０は、基材部１０に３行２列の６個設けられているが、設置する個数は任意でよい。
また、基材部１０の表面１０ａには、ＰＯＰ情報等を記載しても良い。
また、一対の補強板部３０のうち左側の補強板部３０は、基材部１０の左側縁から折り曲げられ、右側の補強板部３０は、基材部１０の右側縁から落ち曲げられるようになっている。しかし、補強板部３０を一つとし、基材部１０の左側縁及び右側縁のいずれか一方から折り曲げられて基材部１０の裏面１０ｂ側に固定されるようにしてもよい。
【符号の説明】
【００３１】
１  商品陳列装置
１０  基材部
１０ａ  表面
１０ｂ  裏面
１１ａ  吊り下げ孔
１１ｂ  吊り下げ孔
２０  商品保持部
２１  第１保持部
２１ａ  舌片
２１ｂ  第１保持孔
２２  第２保持部
２２ａ  第２保持孔
２３  固定片
３０  補強板部
３１  係止用開口
Ｃ１  第１切込み
Ｃ２  第２切込み
Ｃ３  第３切込み
Ｌ１  第１折り曲げ線
Ｌ２  第２折り曲げ線
Ｌ３  第３折り曲げ線
Ｌ４  第４折り曲げ線
４０  吊り下げ紐
５０  商品
【図１】
0003219731.tif 000003
【図２】
0003219731.tif 000004
【図３】
0003219731.tif 000005